(57)【要約】【課題】視聴したテレビ番組に関する音楽データを検索しても、番組を視聴して関連する音楽データを聴きたいと思った時に再生されるとは限らない。【解決手段】予約情報記憶部１０７は予約情報を記憶し、番組情報取得部１０８は予約番組に関する番組情報を取得し、キーワード取得部は番組情報から検索用キーワードを取得し、検索部１１０が予約番組に関連する音楽・映像データを検索し、再生制御部１１１は予約番組の放送時間の前後に検索された音楽・映像データを再生することで、番組を視聴して関連する音楽データを聴きたいと思った時に再生することが可能となる。【選択図】図１１
2008011392.tif 000002
【特許請求の範囲】
【請求項１】
音楽および／または映像データを再生する再生部と、
放送番組の視聴予約および／または録画予約情報を記憶する予約情報記憶部と、
前記予約情報記憶部に記憶された予約番組に関する番組情報を取得する番組情報取得部と、
前記番組情報取得部により取得された番組情報から検索用キーワードを取得するキーワード取得部と、
前記キーワード取得部により取得された検索用キーワードに関連する音楽および／または映像データを検索する検索部と、
前記検索部が検索した音楽および／または映像データを再生するよう前記再生部を制御する再生制御部と、
を備えたことを特徴とする再生装置。
【請求項２】
請求項１において、
データ記憶部と、
複数の音楽および／または映像データを蓄積したサーバーから前記データ記憶部に所定の音楽および／または映像データを転送するデータ転送部と、
前記検索部が検索した音楽および／または映像データを前記サーバーから前記データ記憶部に転送するよう前記データ転送部を制御する転送制御部と、
をさらに備えたことを特徴とする再生装置。
【請求項３】
請求項１において、
前記予約情報記憶部に記憶されている予約番組に対してどの音楽および／または映像データが前記検索部により検索されたかを表示する表示部、
をさらに備えたことを特徴とする再生装置。
【請求項４】
請求項１において、
前記キーワード取得部が取得した検索用キーワードの中から所望のキーワードをユーザーに選択させるキーワード選択部をさらに備え、
前記検索部は、
前記選択部により選択された検索用キーワードのみを使用して音楽および／または映像データを検索する、
ことを特徴とする再生装置。
【請求項５】
請求項１において、
前記再生制御部は、
前記予約番組の開始前または終了後に、前記予約番組に対して検索された音楽および／または映像データを再生するよう前記再生部を制御する、
ことを特徴とする再生装置。
【請求項６】
請求項１において、
指定された再生期間を設定する再生期間設定部と、
現在時刻を取得する時間取得部とをさらに備え、
前記再生制御部は、
前記時間取得部が取得した現在時刻が前記予約番組の開始時間前の前記再生期間以内である場合、または、前記現在時刻が前記予約番組の終了時間後の前記再生期間以内である場合に、前記予約番組に対して検索された音楽および／または映像データを再生するよう前記再生部を制御する、
ことを特徴とする再生装置。
【請求項７】
請求項２において、
指定された転送期間を設定する転送期間設定部と、
現在時刻を取得する時間取得部と、
前記時間取得部が取得した現在時刻が前記予約番組の開始時間前の前記転送期間以内である場合に、前記予約番組に対して検索された音楽および／または映像データを前記サーバーから前記データ記憶部に転送するようユーザーに通知する転送通知部と、
をさらに備えたことを特徴とする再生装置。
【請求項８】
請求項７において、
指定された通知時間を設定する通知時間設定部をさらに備え、
前記転送通知部は、
前記時間取得部が取得した現在時刻が前記通知時間設定部に設定された時刻と一致し、かつ、前記現在時刻が前記予約番組の開始時間前の前記転送期間以内である場合に、前記予約番組に対して検索された音楽および／または映像データを前記サーバーから前記データ記憶部に転送するようユーザーに通知する、
ことを特徴とする再生装置。
【請求項９】
請求項７において、
前記サーバーが近接していることを検知する近接検知部をさらに備え、
前記転送通知部は、
前記近接検知部がサーバーの近接を検知し、かつ、前記現在時刻が前記予約番組の開始時間前の前記転送期間以内である場合に、前記予約番組に対して検索された音楽および／または映像データを前記サーバーから前記データ記憶部に転送するようユーザーに通知する、
ことを特徴とする再生装置。
【請求項１０】
請求項１において、
メールおよび／または電話の着信を検知する着信検知部をさらに備え、
前記再生制御部は、
前記着信検知部がメールおよび／または電話の着信を検知した場合に、前記予約番組に対して検索された音楽・映像データを再生するよう前記再生部を制御する、
ことを特徴とする再生装置。
【請求項１１】
音楽および／または映像データを再生する再生部と、放送番組の視聴予約および／または録画予約情報を記憶する予約情報記憶部とを備えた再生装置の制御方法であって、
前記予約情報記憶部に記憶された予約番組に関する番組情報を取得する番組情報取得ステップと、
前記番組情報取得ステップにより取得された番組情報から検索用キーワードを取得するキーワード取得ステップと、
前記キーワード取得ステップにより取得された検索用キーワードに関連する音楽および／または映像データを検索する検索ステップと、
前記検索ステップにより検索された音楽および／または映像データを再生するよう前記再生部を制御する再生制御ステップと、
を有することを特徴とする制御方法。
【請求項１２】
請求項１１において、
前記再生装置は、
データ記憶部と、
複数の音楽および／または映像データを蓄積したサーバーから前記データ記憶部に所定の音楽および／または映像データを転送するデータ転送部とをさらに備えたものであり、
前記制御方法は、
前記検索ステップにより検索された音楽および／または映像データを前記サーバーから前記データ記憶部に転送するよう前記データ転送部を制御する転送制御ステップ、
をさらに有することを特徴とする制御方法。
【請求項１３】
請求項１１において、
前記予約情報記憶部に記憶されている予約番組に対してどの音楽および／または映像データが前記検索部により検索されたかを表示する表示ステップ、
をさらに有することを特徴とする制御方法。
【請求項１４】
請求項１１において、
前記キーワード取得ステップにより取得された検索用キーワードの中から所望のキーワードをユーザーに選択させるキーワード選択ステップをさらに有し、
前記検索ステップは、
前記選択ステップにより選択された検索用キーワードのみを使用して音楽および／または映像データを検索する、
ことを特徴とする制御方法。
【請求項１５】
請求項１１において、
前記再生制御ステップは、
前記予約番組の開始前または終了後に、前記予約番組に対して検索された音楽および／または映像データを再生するよう前記再生部を制御する、
ことを特徴とする制御方法。
【請求項１６】
請求項１１において、
指定された再生期間を設定する再生期間設定ステップと、
現在時刻を取得する時間取得ステップとをさらに有し、
前記再生制御ステップは、
前記時間取得ステップにより取得された現在時刻が前記予約番組の開始時間前の前記再生期間以内である場合、または、前記現在時刻が前記予約番組の終了時間後の前記再生期間以内である場合に、前記予約番組に対して検索された音楽および／または映像データを再生するよう前記再生部を制御する、
ことを特徴とする制御方法。
【請求項１７】
請求項１２において、
指定された転送期間を設定する転送期間設定ステップと、
現在時刻を取得する時間取得ステップと、
前記時間取得ステップにより取得された現在時刻が前記予約番組の開始時間前の前記転送期間以内である場合に、前記予約番組に対して検索された音楽および／または映像データを前記サーバーから前記データ記憶部に転送するようユーザーに通知する転送通知ステップと、
をさらに有することを特徴とする制御方法。
【請求項１８】
請求項１７において、
指定された通知時間を設定する通知時間設定ステップをさらに有し、
前記転送通知ステップは、
前記時間取得ステップにより取得された現在時刻が前記通知時間設定ステップにより設定された時刻と一致し、かつ、前記現在時刻が前記予約番組の開始時間前の前記転送期間以内である場合に、前記予約番組に対して検索された音楽および／または映像データを前記サーバーから前記データ記憶部に転送するようユーザーに通知する、
ことを特徴とする制御方法。
【請求項１９】
請求項１７において、
前記サーバーが近接していることを検知する近接検知ステップをさらに有し、
前記転送通知ステップは、
前記近接検知ステップによりサーバーの近接が検知され、かつ、前記現在時刻が前記予約番組の開始時間前の前記転送期間以内である場合に、前記予約番組に対して検索された音楽および／または映像データを前記サーバーから前記データ記憶部に転送するようユーザーに通知する、
ことを特徴とする制御方法。
【請求項２０】
請求項１１において、
メールおよび／または電話の着信を検知する着信検知ステップをさらに有し、
前記再生制御ステップは、
前記着信検知ステップによりメールおよび／または電話の着信が検知された場合に、前記予約番組に対して検索された音楽・映像データを再生するよう前記再生部を制御する、
ことを特徴とする制御方法。
【発明の詳細な説明】
【技術分野】
【０００１】
本発明は、記憶媒体に記憶した音楽および／または映像データを再生する装置（たとえば、携帯型オーディオプレーヤ、メディアプレーヤ、据え置き型オーディオ機器、音楽・映像データの再生機能を有した携帯電話・携帯端末など）およびその制御方法に関するものである。
【背景技術】
【０００２】
携帯型オーディオプレーヤは、デジタル圧縮した音楽データをフラッシュメモリやハードディスクなどの記憶媒体に記憶しておき、音楽データを記憶媒体から読み出して再生する。記憶媒体の大容量化とデジタル圧縮技術の圧縮率の向上により、多数の音楽データを記憶媒体に記憶できるようになった。しかし、その反面ユーザーは多数の音楽データから自分の好みに合った音楽データを探しだす作業が必要になった。この音楽データを探し出す方法が幾つか考案されており、例えばユーザーが視聴した放送番組や費用を支払った商品などの情報を収集して、それらの情報に関連する音楽データを再生するものである（例えば、特許文献１を参照）。
【特許文献１】特開２００５―２９３１９５号公報
【発明の開示】
【発明が解決しようとする課題】
【０００３】
ラジオ・テレビ放送の番組を視聴する場合は、特に視聴したい番組がなく暇つぶしやＢＧＭがわりに視聴している場合があり、ユーザーが視聴した番組に必ずしも興味を持っているとは限らない。また、音楽番組を視聴する場合では番組中に複数の歌手が出演するので、ユーザーがどの音楽に興味を持っているのか特定できない。また、ラジオ放送ではリクエスト曲を中心に放送するので、ユーザーが放送される曲をあらかじめ知っているわけではなく、放送された音楽に興味を持っていない場合が多い。このため、単に視聴した番組の情報を収集しても、ユーザーの好みに合った音楽データを検索できないという課題があった。
【０００４】
また、これまでは車の走行中にカーオーディオで音楽を聴いたり、電車内や外出中に携帯型オーディオプレーヤや携帯電話で音楽を聴いていたが、デジタル放送の開始によりテレビ番組の視聴もできるようになった。例えば、地上波デジタル放送は移動状態でも安定して受信ができ、車の走行中にテレビ番組を視聴することができる。また、ワンセグ放送は携帯電話や携帯テレビを使用して電車内や外出中にテレビ番組を視聴することができる。
【０００５】
特に、携帯電話ではワンセグ放送も視聴でき、音楽データも再生できる機種が既にあるのと、携帯オーディオプレーヤおよびメディアプレーヤでは音楽・映像データを再生できる機種があり、ワンセグ放送を受信できる機種も出てくると思われる。このように、携帯電話や携帯オーディオプレーヤ・メディアプレーヤでテレビ番組と音楽を視聴できるようになると、ドラマを視聴していて番組中で使用されたテーマ曲やオープニング曲を聴きたいという場合や、歌謡番組を視聴していて出演した歌手が歌った音楽を聴きたいという場合が出てくる。しかし、視聴した番組の情報を収集しただけでは、番組に関連する音楽を再生する割合は増えるだけで、テレビ番組を視聴した時に番組に関係する音楽を聴きたいと思った時に再生されるわけではない。また、視聴した番組に関連する音楽データが、外出時に持ち出す携帯オーディオプレーヤに記憶されているとは限らない。つまり、ユーザーが視聴したい思った時に、その音楽・映像データを再生できないという課題があった。
【０００６】
本発明は、前記の問題に着目してなされたものであり、放送番組に関するユーザーの好みに合った音楽・映像データを検索し、ユーザーが放送番組を視聴して番組に関連する音楽・映像データを視聴したいと思った時に再生できるようにすることを目的としている。
【課題を解決するための手段】
【０００７】
前記の課題を解決するため、請求項１の発明は、
音楽および／または映像データを再生する再生部と、
放送番組の視聴予約および／または録画予約情報を記憶する予約情報記憶部と、
前記予約情報記憶部に記憶された予約番組に関する番組情報を取得する番組情報取得部と、
前記番組情報取得部により取得された番組情報から検索用キーワードを取得するキーワード取得部と、
前記キーワード取得部により取得された検索用キーワードに関連する音楽および／または映像データを検索する検索部と、
前記検索部が検索した音楽および／または映像データを再生するよう前記再生部を制御する再生制御部と、
を備えたことを特徴とする。
【０００８】
これにより、予約番組はユーザーが視聴したいという意思を持って予約しているので、予約番組に関連する音楽・映像データを検索して再生することで、ユーザーが好みの音楽・映像データを再生することが可能になる。
【０００９】
また、請求項２の発明は、さらに、
データ記憶部と、
複数の音楽および／または映像データを蓄積したサーバーから前記データ記憶部に所定の音楽および／または映像データを転送するデータ転送部と、
前記検索部が検索した音楽および／または映像データを前記サーバーから前記データ記憶部に転送するよう前記データ転送部を制御する転送制御部と、
を備えたことを特徴とする。
【００１０】
これにより、予約番組に関連する音楽・映像データを据え置き型オーディオやパソコンのハードディスクから携帯型オーディオプレーヤやカード型フラッシュメモリなどに転送し、ユーザーが外出中に好みの音楽・映像データを再生することが可能になる。
【００１１】
また、請求項３の発明は、さらに、
前記予約情報記憶部に記憶されている予約番組に対してどの音楽および／または映像データが前記検索部により検索されたかを表示する表示部、
を備えたことを特徴とする。
【００１２】
これにより、予約番組に対してどんな音楽・映像データが検索されたのかをユーザーが確認することが可能になる。
【００１３】
また、請求項４の発明は、さらに、
前記キーワード取得部が取得した検索用キーワードの中から所望のキーワードをユーザーに選択させるキーワード選択部を備え、
前記検索部は、
前記選択部により選択された検索用キーワードのみを使用して音楽および／または映像データを検索する、
ことを特徴とする。
【００１４】
これにより、予約番組の番組情報から出演者や番組内容などの複数のキーワードが取得された場合、ユーザーが興味を持っているキーワードに限定して音楽・映像データを検索できるので、好みの音楽・映像データに絞って検索することが可能になる。
【００１５】
また、請求項５の発明は、さらに、
前記再生制御部は、
前記予約番組の開始前または終了後に、前記予約番組に対して検索された音楽および／または映像データを再生するよう前記再生部を制御する、
ことを特徴とする。
【００１６】
これにより、予約番組を視聴した後に、ユーザーが番組中で使用された音楽を聴きたいと思った時に再生することが可能になる。また、予約番組を視聴する前に、番組に関連する音楽データを聴いて、番組に対する期待感を盛り上げることが可能になる。
【００１７】
また、請求項６の発明は、さらに、
指定された再生期間を設定する再生期間設定部と、
現在時刻を取得する時間取得部とを備え、
前記再生制御部は、
前記時間取得部が取得した現在時刻が前記予約番組の開始時間前の前記再生期間以内である場合、または、前記現在時刻が前記予約番組の終了時間後の前記再生期間以内である場合に、前記予約番組に対して検索された音楽および／または映像データを再生するよう前記再生部を制御する、
ことを特徴とする。
【００１８】
これにより、予約番組を視聴した後に、ユーザーが番組中で使用された音楽を聴きたいと思った時に再生することが可能になる。また、予約番組を視聴する前に、番組に関連する音楽データを聴いて、番組に対する期待感を盛り上げることが可能になる。
【００１９】
また、請求項７の発明は、さらに、
指定された転送期間を設定する転送期間設定部と、
現在時刻を取得する時間取得部と、
前記時間取得部が取得した現在時刻が前記予約番組の開始時間前の前記転送期間以内である場合に、前記予約番組に対して検索された音楽および／または映像データを前記サーバーから前記データ記憶部に転送するようユーザーに通知する転送通知部と、
を備えたことを特徴とする。
【００２０】
これにより、放送日の前日に予約番組に関連する音楽・映像データの転送要求がユーザーに通知されるので、携帯型オーディオプレーヤに音楽・映像データを転送し、放送当日に予約番組に関連する音楽・映像データを再生することが可能になる。
【００２１】
また、請求項８の発明は、さらに、
指定された通知時間を設定する通知時間設定部を備え、
前記転送通知部は、
前記時間取得部が取得した現在時刻が前記通知時間設定部に設定された時刻と一致し、かつ、前記現在時刻が前記予約番組の開始時間前の前記転送期間以内である場合に、前記予約番組に対して検索された音楽および／または映像データを前記サーバーから前記データ記憶部に転送するようユーザーに通知する、
ことを特徴とする。
【００２２】
これにより、通知時間設定部にユーザーが帰宅している時間を設定しておき、転送要求が通知されたときに、自宅にある音楽・映像データを蓄積したパソコンや据え置き型オーディオから携帯型オーディオプレーヤに音楽・映像データを転送することが可能になる。
【００２３】
また、請求項９の発明は、さらに、
前記サーバーが近接していることを検知する近接検知部を備え、
前記転送通知部は、
前記近接検知部がサーバーの近接を検知し、かつ、前記現在時刻が前記予約番組の開始時間前の前記転送期間以内である場合に、前記予約番組に対して検索された音楽および／または映像データを前記サーバーから前記データ記憶部に転送するようユーザーに通知する、
ことを特徴とする。
【００２４】
これにより、ユーザーに転送要求が通知されたときに、すぐに近接しているパソコンや据え置き型オーディオから携帯型オーディオプレーヤに予約番組に関する音楽・映像データを転送することが可能になる。
【００２５】
また、請求項１０の発明は、さらに、
メールおよび／または電話の着信を検知する着信検知部を備え、
前記再生制御部は、
前記着信検知部がメールおよび／または電話の着信を検知した場合に、前記予約番組に対して検索された音楽・映像データを再生するよう前記再生部を制御する、
ことを特徴とする。
【００２６】
これにより、メールおよび電話の着信音としてユーザーの好みの音楽・映像データを再生することが可能になる。また、番組編成が変わって新番組が始まったり、歌手が新曲を発売することにより、ユーザーが着信音の変更操作をしなくとも自動的に着信音を変更していくことが可能となる。
【００２７】
また、請求項１１〜２０の発明は、それぞれ請求項１〜１０の発明と同じ作用効果を有している。
【発明の効果】
【００２８】
本発明によれば、放送番組に関するユーザーの好みに合った音楽・映像データをより的確に検索し、ユーザーが放送番組を視聴してその番組に関連する音楽・映像データを視聴したいと思った時に再生できるようにすることが可能となる。
【発明を実施するための最良の形態】
【００２９】
以下、本発明の実施形態について図面を参照しながら説明する。
【００３０】
《発明の実施形態１》
図１は、本発明の実施形態１に係る音楽・映像データ再生装置１００の構成を示すブロック図である。音楽・映像データ再生装置１００は、図１に示すように、放送受信部１０１、再生部１０２、ディスプレイ１０３、スピーカ１０４、キー入力部１０５、ＥＰＧ制御部１０６、予約情報記憶部１０７、番組情報取得部１０８、キーワード取得部１０９、検索部１１０、再生制御部１１１、データ記憶部１１２を備えて構成されている。
【００３１】
受信部１０１は、地上波デジタル放送を受信するようになっている。
【００３２】
再生部１０２は、受信部１０１が受信した地上波デジタル放送のラジオ・テレビ番組の音楽・映像データを再生し、ディスプレイ１０３とスピーカ１０４に出力するようになっている。また再生部１０２は、データ記憶部１１２に記憶した音楽・映像データを再生し、ディスプレイ１０３とスピーカ１０４に出力するようになっている。
【００３３】
ディスプレイ１０３は、再生部１０２が再生した映像データを表示するとともに、ＥＰＧ制御部１０６が生成したＥＰＧを表示するようになっている。
【００３４】
スピーカ１０４は、再生部１０２が再生した音声データを出力するようになっている。
【００３５】
キー入力部１０６は、ＥＰＧを操作するためのキー入力を受けつけるようになっている。
【００３６】
ＥＰＧ制御部１０６は、番組情報取得部１０８が取得した番組情報からＥＰＧを作成してディスプレイ１０３に表示するとともに、キー入力部１０５が受け付けたキー入力によりＥＰＧを操作して視聴予約および録画予約する番組を選択するようになっている。
【００３７】
予約情報記憶部１０７は、ＥＰＧ制御部１０６で選択した視聴予約および録画予約番組の情報を記憶するようになっている。
【００３８】
番組情報取得部１０８は、受信部１０１が受信した地上波デジタル放送のトランスポートストリームから番組情報を取得するようになっている。
【００３９】
キーワード取得部１０９は、番組情報取得部１０８が取得した番組情報からその番組に関連する音楽・映像データを検索するためのキーワードを取得するようになっている。
【００４０】
検索部１１０は、キーワード取得部１０９が取得した検索用キーワードを使用して、予約番組に関連する音楽・映像データを検索するようになっている。
【００４１】
再生制御部１１１は、検索部１０９が検索した音楽・映像データを再生するよう再生部１０２を制御するようになっている。
【００４２】
データ記憶部１１２は、音楽・映像データを記憶するようになっている。
【００４３】
上記のように構成された、音楽・映像データ再生装置１００では、図２のフローチャートに示す処理が行われることによって、予約番組に関連する音楽・映像データを再生することができる。各ステップにおける処理は、以下のとおりである。
（ステップＳ１０１）
番組情報取得部１０８は、受信部１０１が受信した地上波デジタル放送のトランスポートストリームから番組情報を取得する。ＥＰＧ制御部１０６は、番組情報取得部１０８が取得した番組情報からＥＰＧを作成してディスプレイ１０３に表示する。
（ステップＳ１０２）
ユーザーはキー入力部１０５を操作してＥＰＧに表示された番組の中から視聴予約および録画予約したい番組を選択する。
（ステップＳ１０３）
予約情報記憶部１０７は、前記選択された予約番組に関する予約情報を記憶する。ここでは、予約情報記憶部１０７は図３の表に示す予約情報Ｙ１０１，Ｙ１０２を記憶したものとする。
（ステップＳ１０４）
番組情報取得部１０８は、前記予約番組の番組情報を取得し、キーワード取得部１０９は、予約番組の番組情報から検索用キーワードを取得する。ここでは、予約情報Ｙ１０１，Ｙ１０２に対して、図４の表に示す番組情報Ｂ１０１，Ｂ１０２を取得し、番組情報Ｂ１０１から「歌謡ベストテン」「演歌花子」「ジミーロック」を、番組情報Ｂ１０２から「警視庁物語」「刑事太郎」「犯人次郎」を検索用キーワードとして取得したものとする。
（ステップＳ１０５）
検索部１１０は、検索用キーワードを使用して予約番組に関連する音楽・映像データを検索する。ここで、検索部１１０は図５の表に示す検索用キーワードと音楽・映像データを関連つけるデータベースを検索する。キーワード「演歌花子」で検索するとＤ１０１，Ｄ１０２のキーワードと一致するので、音楽データ「演歌一筋」「北国の雪」を検索する。同様にして、キーワード「刑事太郎」に対して映像データ「映画大捜査網」が検索され、キーワード「警視庁物語」に対して音楽データ「刑事ブルース」が検索される。
（ステップＳ１０６）
再生制御部１１１は、検索部１１０が検索した音楽・映像データを再生するように再生部１０２を制御する。ここでは、音楽データ「演歌一筋」「北国の雪」「刑事ブルース」と映像データ「映画大捜査網」が再生される。
【００４４】
上記のように、本実施形態によれば、予約番組の番組情報から取得した検索用キーワードを用いて音楽・映像データを検索し、検索された音楽・映像データを再生する。これにより、予約番組は視聴したいという意思を持って予約しているので、ユーザーの好みを反映した音楽・映像データを再生することが可能になる。
【００４５】
なお、上記の説明では、地上波デジタル放送を受信する例を説明したが、例えば地上波アナログ放送を受信してもよく、この場合にはアナログ放送の放送信号に多重化されているＡＤＡＭＳやＧガイドなどの番組情報を取得すればよい。
【００４６】
また、上記の説明では、デジタル放送のトランスポートストリームに多重化されている番組情報を取得したが、インターネット経由で番組情報を蓄積しているＷｅｂサイトにアクセスして番組情報を取得してもよい。
【００４７】
また、キーワードと音楽・映像データを関連づけるデータベースは、ユーザー自身がパソコンや携帯電話で作成してもよい。また、放送局やレコード会社が作成したデータベースをＷｅｂサイトに蓄積しておきインターネット経由で取得するか、放送信号にデータベースを多重化して放送してもよい。
【００４８】
また、上記の説明では、地上波デジタル放送を受信できる音声・映像データ再生装置の例を説明したので、視聴および録画予約も同一の音声・映像データ再生装置で行ったが、別の装置で視聴および録画予約した予約情報を使用してもよい。例えば、ＨＤＤレコーダなどで録画予約した予約情報を携帯型オーディオプレーヤに転送して、携帯型オーディオプレーヤで予約番組に関する音楽・映像データを検索・再生してもよい。
【００４９】
《発明の実施形態２》
図６は、本発明の実施形態２に係る音楽・映像データ再生装置２００の構成を示すブロック図である。音楽・映像データ再生装置２００は図６に示すように、音楽・映像データ再生装置１００（図１）に転送制御部２０２とデータ転送部２０１を加えて構成されている点が前記音楽・映像データ再生装置１００と相異している。なお、以下の実施形態において前記実施形態１等と同様の機能を有する構成要素については、同一の符号を付して説明を省略する。
【００５０】
パソコン２０３は、インターネット経由でダウンロードした音楽・映像データやＣＤから取り込んだ音楽データをハードディスクに記憶するようになっている。
【００５１】
データ転送部２０１は、パソコン２０３に記憶している音楽・映像データをデータ記憶部１１２に転送するようになっている。
【００５２】
転送制御部２０２は、検索部１１０が検索した音楽・映像データをパソコン２０３からデータ記憶部１１２に転送するようデータ転送部２０１を制御するようになっている。
【００５３】
上記のように、本実施形態によれば、予約番組の番組情報から取得した検索用キーワードを用いて音楽・映像データを検索し、検索された音楽・映像データをパソコン２０３から音楽・映像データ再生装置２００のデータ記憶部１１２に転送する。これにより、携帯型オーディオプレーヤなどの音楽・映像データ再生装置２００を外出時に持ち出してユーザーの好みの音楽・映像データを再生することが可能になる。
【００５４】
なお、上記の説明では、パソコン２０３に蓄積している音楽・映像データを転送する例を説明したが、ハードディスクなどの記憶媒体を内蔵した据え置き型オーディオコンポに蓄積している音楽・映像データを転送してもよい。また、Ｗｅｂサイトに蓄積している音楽・映像データをインターネット経由で取得してもよい。
【００５５】
《発明の実施形態３》
図７は、本発明の実施形態３に係る音楽・映像データ再生装置３００の構成を示すブロック図である。音楽・映像データ再生装置３００は図７に示すように、音楽・映像データ再生装置１００（図１）に表示部３０１を加えて構成されている点が前記音楽・映像データ再生装置１００と相異している。なお、以下の実施形態において前記実施形態１等と同様の機能を有する構成要素については、同一の符号を付して説明を省略する。
【００５６】
表示部３０１は、予約番組に対してどの音楽・映像データが検索されたかをディスプレイ１０３に表示するようになっている。
【００５７】
例えば図８は、図３に示す予約情報の予約番組Ｙ１０１に対して検索された音楽・映像データをディスプレイ１０３に表示した例であり、ユーザーは予約番組「歌謡ベストテン」に対して、音楽データ「演歌一筋」「北国の雪」が検索されたことを確認できる。
【００５８】
上記のように、本実施形態によれば、予約番組に対して検索された音楽・映像データを表示することにより、予約番組に対してどの音楽・映像データが検索されたかをユーザーが確認することが可能になる。
【００５９】
《発明の実施形態４》
図９は、本発明の実施形態４に係る音楽・映像データ再生装置４００の構成を示すブロック図である。音楽・映像データ再生装置４００は図９に示すように、音楽・映像データ再生装置１００（図１）にキーワード選択部４０１を加えて構成されている点が前記音楽・映像データ再生装置１００と相異している。なお、以下の実施形態において前記実施形態１等と同様の機能を有する構成要素については、同一の符号を付して説明を省略する。
【００６０】
キーワード選択部４０１は、キーワード取得部１０９が取得した検索用キーワードをディスプレイ１０３に表示し、ユーザーがキー入力部１０５を操作して使用する検索用キーワードを選択するようになっている。
【００６１】
検索部１１０は、キーワード選択部４０１が取得した検索用キーワードのみを使用して、音楽・映像データを検索するようになっている。
【００６２】
例えば図１０は、図３に示す予約情報の予約番組Ｙ１０１に関して取得された検索用キーワードをディスプレイ１０３に表示し、複数の検索用キーワードの中から「演歌花子」を選択した例であり、ユーザーは予約番組「歌謡ベストテン」に出演している複数の歌手から、自分の好みの「演歌花子」に関する音楽・映像データに絞って検索することができる。
【００６３】
上記のように、本実施形態によれば、予約番組に対して取得された複数の検索用キーワードから使用する検索用キーワードを選択することにより、ユーザーの好みの音楽・映像データに絞って検索し、再生することが可能になる。
【００６４】
《発明の実施形態５》
図１１は、本発明の実施形態５に係る音楽・映像データ再生装置５００の構成を示すブロック図である。音楽・映像データ再生装置５００は図１１に示すように、音楽・映像データ再生装置１００（図１）に時間取得部５０１、再生期間設定部５０２を加えて構成されている点が前記音楽・映像データ再生装置１００と相異している。なお、以下の実施形態において前記実施形態１等と同様の機能を有する構成要素については、同一の符号を付して説明を省略する。
【００６５】
時間取得部５０１は、現在時刻を取得するようになっている。
【００６６】
再生期間設定部５０２は、予約番組の放送時間の前後に検索された音楽・映像データを再生する期間を設定するようになっている。
【００６７】
再生制御部１１１は、時間取得部５０１が取得した現在時刻が予約番組の開始時間の前の再生期間以内である場合、または現在時刻が終了時間の後の再生期間以内である場合、前記予約番組に対して検索された音楽・映像データを再生部１０２が再生するように制御するようになっている。
【００６８】
上記のように構成された、音楽・映像データ再生装置５００では、図１２のフローチャートに示す処理が行われることによって、予約番組に関連する音楽・映像データを再生することができる。各ステップにおける処理は、以下のとおりである。
（ステップＳ２０１）
時間取得部５０１で取得した現在時刻が予約番組の開始時間の前の再生期間以内である場合はステップＳ２０３に進む。それ以外の場合はステップＳ２０２に進む。
【００６９】
ここでは、図１３に示すように予約情報記憶部１０７には予約番組Ｙ１０１が記憶され、再生期間設定部５０２に１時間が設定されたものとする。予約番組Ｙ１０１の開始時間は２１:００なので、現在時刻が２０：００から２１：００である場合にステップＳ２０３に進む。
（ステップＳ２０２）
時間取得部５０１で取得した現在時刻が予約番組の終了時間の後の再生期間以内である場合はステップＳ２０３に進む。それ以外の場合は処理を終了する。
【００７０】
ここでは、予約番組Ｙ１０１の終了時間は２２:００であるので、現在時刻が２２：００から２３：００の期間はステップＳ２０３に進む。
（ステップＳ２０３）
再生制御部１１１は、予約番組に対して検索された音楽・映像データを再生部１０２が再生するように制御する。つまり、番組開始前の２０：００から２１：００と、番組終了後の２２：００から２３：００の期間に予約番組Ｙ１０１に関して検索された音楽・映像データを再生する。
【００７１】
上記のように、本実施形態によれば、現在時刻が予約番組の放送時間の前後の再生期間内である場合に、予約番組に対して検索された音楽・映像データを再生することが可能となる。つまり、番組視聴後にその番組に関連する音楽・映像データが再生されるので、ユーザーの好みの出演者が歌った音楽を聴きたいと思った時に、その出演者が歌う音楽データを再生することができる。また、番組開始前にその番組に関連する音楽・映像データを再生することで、予約番組の開始が近づいていることをユーザーに知らせるとともに、その番組に対する期待感を盛り上げることができる。
【００７２】
なお、上記の説明では、再生期間設定部５０２は１つのみにしたが、再生期間設定部を２つにして予約番組の開始前の再生期間と終了後の再生期間を別々に設定するようにしてもよい。
【００７３】
また、予約情報を記憶する予約情報記憶部１０７に再生期間を記憶するようにして、各予約番組ごとに開始前の再生期間と終了後の再生期間を設定するようにしてもよい。
【００７４】
《発明の実施形態６》
図１４は、本発明の実施形態６に係る音楽・映像データ再生装置６００の構成を示すブロック図である。音楽・映像データ再生装置６００は図１４に示すように、音楽・映像データ再生装置２００（図６）に時間取得部５０１、転送期間設定部６０１、転送通知部６０２を加えて構成されている点が前記音楽・映像データ再生装置２００と相異している。なお、以下の実施形態において前記実施形態２等と同様の機能を有する構成要素については、同一の符号を付して説明を省略する。
【００７５】
時間取得部５０１は、現在時刻を取得するようになっている。
【００７６】
転送期間設定部６０１は、予約番組に対して検索された音楽・映像データをデータ記憶部１１２に転送する期間を設定するようになっている。
【００７７】
転送通知部６０２は、時間取得部５０１が取得した現在時刻が前記予約番組の開始時間より転送期間設定部６０１に設定された期間以内である場合に、ディスプレイ１０３に転送通知メッセージを表示するとともに、スピーカ１０４に転送通知音を出力し、前記予約番組に対して検索された音楽・映像データをデータ記憶部１１２に転送するようユーザーに通知するようになっている。
【００７８】
上記のように構成された、音楽・映像データ再生装置６００では、図１５のフローチャートに示す処理が行われることによって、予約番組に関連する音楽・映像データを転送することができる。各ステップにおける処理は、以下のとおりである。
（ステップＳ３０１）
時間取得部５０１で取得した現在時刻が予約番組の開始時間より転送期間以内である場合はステップＳ３０２に進む。それ以外の場合は処理を終了する。
【００７９】
ここでは、図１６に示すように予約情報記憶部１０７には予約番組Ｙ１０１が記憶され、転送期間設定部６０１に２４時間が設定されたものとする。
（ステップＳ３０２）
転送通知部６０２は、予約番組に対して検索された音楽・映像データをデータ記憶部１１２に転送するようユーザーに通知するようになっている。
【００８０】
つまり、予約番組Ｙ１０１の開始時間は４月１１日２１:００なので、現在時刻が４月１０日２１：００から４月１１日２１：００である場合に音楽・映像データを転送するよう通知される。
【００８１】
上記のように、本実施形態によれば、転送期間設定部６０１に２４時間を設定しておくと、予約番組の放送開始日の１日前に、携帯型オーディオプレーヤなどの音楽・映像データ再生装置６００に前記予約番組に対して検索された音楽・映像データを転送するように通知することができる。
【００８２】
《発明の実施形態７》
図１７は、本発明の実施形態７に係る音楽・映像データ再生装置７００の構成を示すブロック図である。音楽・映像データ再生装置７００は図１７に示すように、音楽・映像データ再生装置６００（図１４）に通知時間設定部７０１を加えて構成されている点が前記音楽・映像データ再生装置６００と相異している。なお、以下の実施形態において前記実施形態６と同様の機能を有する構成要素については、同一の符号を付して説明を省略する。
【００８３】
通知時間設定部７０１は、音楽・映像データを転送するように通知する時間を設定する。
【００８４】
転送通知部６０２は、時間取得部５０１が取得した現在時刻が通知時間設定部７０１に設定した時刻と一致し、かつ現在時刻が前記予約番組の開始時間前の転送期間設定部６０１に設定された期間以内である場合に、ディスプレイ１０３に転送通知メッセージを表示するとともに、スピーカ１０４に転送通知音を出力し、前記予約番組に対して検索された音楽・映像データをデータ記憶部１１２に転送するようユーザーに通知するようになっている。
【００８５】
上記のように構成された、音楽・映像データ再生装置７００では、図１８のフローチャートに示す処理が行われることによって、予約番組に関連する音楽・映像データを転送することができる。各ステップにおける処理は、以下のとおりである。
（ステップＳ４０１）
時間取得部５０１で取得した現在時刻が通知時間設定部７０１に設定された時間に一致する場合はステップＳ４０２に進む。それ以外の場合は処理を終了する。
【００８６】
ここでは、図１９に示すように予約情報記憶部１０７には予約番組Ｙ１０１が記憶され、転送期間設定部６０１に２４時間が設定され、通知時間設定部７０１に２２：００が設定されたものとする。
（ステップＳ４０２）
時間取得部５０１で取得した現在時刻が予約番組の開始時間前の転送期間以内である場合はステップＳ４０３に進む。それ以外の場合は処理を終了する。
（ステップＳ４０３）
転送通知部６０２は、予約番組に対して検索された音楽・映像データをデータ記憶部１１２に転送するようユーザーに通知する。
【００８７】
ここでは、現在時刻が４月１０日２２：００になると、通知時間の２２：００と一致し、かつ４月１０日２１：００から４月１１日２１：００の転送期間内になるので、予約番組Ｙ１０１に対して検索された音楽・映像データを転送するよう通知する。
【００８８】
上記のように、本実施形態によれば、通知時間設定部７０１に自宅に帰宅している時間を設定し、転送期間設定部６０１に２４時間を設定しておくと、予約番組の放送日の前日に、携帯型オーディオプレーヤなどの音楽・映像データ再生装置７００に前記予約番組に対して検索された音楽・映像データを転送するよう通知することができる。
【００８９】
《発明の実施形態８》
図２０は、本発明の実施形態８に係る音楽・映像データ再生装置８００の構成を示すブロック図である。音楽・映像データ再生装置８００は図２０に示すように、音楽・映像データ再生装置６００（図１４）に近接検知部８０１を加えて構成されている点が前記音楽・映像データ再生装置６００と相異している。なお、以下の実施形態において前記実施形態６等と同様の機能を有する構成要素については、同一の符号を付して説明を省略する。
【００９０】
近接検知部８０１は、無線や赤外線による通信などを使用して、音楽・映像データを蓄積したパソコンや据え置オーディオが近接していることを検知するようになっている。
【００９１】
転送通知部６０２は、近接検知部８０１がサーバーの近接を検知し、かつ時間取得部５０１が取得した現在時刻が予約番組の開始時間前の転送期間設定部６０１に設定された期間以内である場合に、ディスプレイ１０３に転送通知メッセージを表示するとともに、スピーカ１０４に転送通知音を出力し、前記予約番組に対して検索された音楽・映像データをデータ記憶部１１２に転送するようユーザーに通知するようになっている。
【００９２】
上記のように構成された、音楽・映像データ再生装置８００では、図２１のフローチャートに示す処理が行われることによって、予約番組に関連する音楽・映像データを転送することができる。各ステップにおける処理は、以下のとおりである。
（ステップＳ５０１）
近接検知部８０１は、音楽・映像データを蓄積したサーバーが近接していることを検知した場合はステップＳ５０２に進む。それ以外の場合は処理を終了する。
（ステップＳ５０２）
時間取得部５０１で取得した現在時刻が予約番組の開始時間前の転送期間以内である場合はステップＳ５０３に進む。それ以外の場合は処理を終了する。
（ステップＳ５０３）
転送通知部６０２は、予約番組に対して検索された音楽・映像データを転送するようユーザーに通知する。
【００９３】
上記のように本実施形態によれば、近接検知部８０１が音楽・映像データを蓄積したパソコンや据え置オーディオなど近接していることを検知した時に、携帯型オーディオプレーヤなどの音楽・映像データ再生装置８００に前記予約番組に対して検索された音楽・映像データを転送するよう通知されるので、ユーザーはその場で音楽・映像データを転送することが可能となる。
【００９４】
《発明の実施形態９》
図２２は、本発明の実施形態９に係る音楽・映像データ再生装置９００の構成を示すブロック図である。音楽・映像データ再生装置９００は図２２に示すように、音楽・映像データ再生装置１００（図１）に着信検知部９０１を加えて構成されている点が前記音楽・映像データ再生装置１００と相異している。なお、以下の実施形態において前記実施形態１等と同様の機能を有する構成要素については、同一の符号を付して説明を省略する。
【００９５】
着信検知部９０１は、メールおよび電話の着信を検知するようになっている。
【００９６】
再生制御部１１１は、着信検知部９０１がメールおよび電話の着信を検知した場合に、検索部１１０が予約番組に対して検索した音楽・映像データを再生部１０２が再生するよう制御するようになっている。
【００９７】
上記のように、本実施形態によれば、メールおよび電話の着信音として予約番組に関して検索された音楽・映像データを再生することが可能になる。
【産業上の利用可能性】
【００９８】
本発明に係る再生装置およびその制御方法は、放送番組に関するユーザーの好みに合った音楽・映像データをより的確に検索するとともに、ユーザーが放送番組を視聴して番組に関連する音楽・映像データを視聴したいと思った時に再生することが可能になるという効果を有し、音楽再生やテレビ視聴機能を備えた携帯電話および携帯型オーディオ・メディアプレーヤとして有用である。
【図面の簡単な説明】
【００９９】
【図１】本発明の実施形態１に係る音楽・映像データ再生装置の構成を示すブロック図である。
【図２】本発明の実施形態１に係る音楽・映像データ再生装置で行われる処理手順を示すフローチャートである。
【図３】本発明の実施形態１に係る予約情報記憶部に記憶する予約情報の一例を示す表である。
【図４】本発明の実施形態１に係る予約番組に関する番組情報の一例を示す表である。
【図５】本発明の実施形態１に係るキーワードと音楽・映像データを関連づけるデータベースの一例を示す表である。
【図６】本発明の実施形態２に係る音楽・映像データ再生装置の構成を示すブロック図である。
【図７】本発明の実施形態３に係る音楽・映像データ再生装置の構成を示すブロック図である。
【図８】本発明の実施形態３に係る音楽・映像データ再生装置における液晶ディスプレイの表示内容の一例を示す図である。
【図９】本発明の実施形態４に係る音楽・映像データ再生装置の構成を示すブロック図である。
【図１０】本発明の実施形態４に係る音楽・映像データ再生装置における液晶ディスプレイの表示内容の一例を示す図である。
【図１１】本発明の実施形態５に係る音楽・映像データ再生装置の構成を示すブロック図である。
【図１２】本発明の実施形態５に係る音楽・映像データ再生装置で行われる処理手順を示すフローチャートである。
【図１３】本発明の実施形態５に係る予約情報記憶部に記憶する予約情報、再生期間設定部に設置する再生期間、再生期間を示すタイムチャートの一例である。
【図１４】本発明の実施形態６に係る音楽・映像データ再生装置の構成を示すブロック図である。
【図１５】本発明の実施形態６に係る音楽・映像データ再生装置で行われる処理手順を示すフローチャートである。
【図１６】本発明の実施形態６に係る予約情報記憶部に記憶する予約情報、転送期間設定部に設置する転送期間、転送期間を示すタイムチャートの一例である。
【図１７】本発明の実施形態７に係る音楽・映像データ再生装置の構成を示すブロック図である。
【図１８】本発明の実施形態７に係る音楽・映像データ再生装置で行われる処理手順を示すフローチャートである。
【図１９】本発明の実施形態７に係る予約情報記憶部に記憶する予約情報、転送期間設定部に設置する転送期間、通知時間設定部に設置する通知時間、通知時間を示すタイムチャートの一例である。
【図２０】本発明の実施形態８に係る音楽・映像データ再生装置の構成を示すブロック図である。
【図２１】本発明の実施形態８に係る音楽・映像データ再生装置で行われる処理手順を示すフローチャートである。
【図２２】本発明の実施形態９に係る音楽・映像データ再生装置の構成を示すブロック図である。
【符号の説明】
【０１００】
１００  音楽・映像データ再生装置
１０１  受信部
１０２  再生部
１０３  ディスプレイ
１０４  スピーカ
１０５  キー入力部
１０６  ＥＰＧ制御部
１０７  予約情報記憶部
１０８  番組情報取得部
１０９  キーワード取得部
１１０  検索部
１１１  再生制御部
１１２  データ記憶部
２００  音楽・映像データ再生装置
２０１  データ転送部
２０２  転送制御部
２０３  パソコン
３００  音楽・映像データ再生装置
３０１  表示部
４００  音楽・映像データ再生装置
４０１  キーワード選択部
５００  音楽・映像データ再生装置
５０１  時間取得部
５０２  再生期間設定部
６００  音楽・映像データ再生装置
６０１  転送期間設定部
６０２  転送通知部
７００  音楽・映像データ再生装置
７０１  通知時間設定部
８００  音楽・映像データ再生装置
８０１  近接検知部
９００  音楽・映像データ再生装置
９０１  着信検知部
【図１】
2008011392.tif 000003
【図２】
2008011392.tif 000004
【図３】
2008011392.tif 000005
【図４】
2008011392.tif 000006
【図５】
2008011392.tif 000007
【図６】
2008011392.tif 000008
【図７】
2008011392.tif 000009
【図８】
2008011392.tif 000010
【図９】
2008011392.tif 000011
【図１０】
2008011392.tif 000012
【図１１】
2008011392.tif 000013
【図１２】
2008011392.tif 000014
【図１３】
2008011392.tif 000015
【図１４】
2008011392.tif 000016
【図１５】
2008011392.tif 000017
【図１６】
2008011392.tif 000018
【図１７】
2008011392.tif 000019
【図１８】
2008011392.tif 000020
【図１９】
2008011392.tif 000021
【図２０】
2008011392.tif 000022
【図２１】
2008011392.tif 000023
【図２２】
2008011392.tif 000024